(57)【要約】  【課題】  強度アップに加えて、芝生マットを法面などに強固に張り付けることができる植生マットと、その植生マットの製造方法とを提供する。  【解決手段】  可撓性を有するネット材２を圃場４に敷設し、このネット材２の上に、別途圃場で生育させた芝生マット３を敷き詰め、この芝生マット３の根がネット材２に絡まった段階で、芝生マット付きのネット材２を圃場４から剥がし取り、ネット材２に芝生マット３を一体化させた植生マット１を製造している。【選択図】      図７
2008043350.tif 000002
【特許請求の範囲】
【請求項１】
可撓性を有するネット材に芝生マットを一体化させて成ることを特徴とする植生マット。
【請求項２】
ネット材の少なくとも一側辺のネット部分が、芝生マットの端部から張り出して成る請求項１に記載された植生マット。
【請求項３】
可撓性を有するネット材を圃場に敷設し、このネット材の上に、別途圃場で生育させた芝生マットを敷き詰め、この芝生マットの根がネット材に絡まった段階で、芝生マット付きのネット材を圃場から剥がし取ることを特徴とする植生マットの製造方法。
【発明の詳細な説明】
【技術分野】
【０００１】
本発明は、例えば河川の堤防などの植生護岸等に用いる植生マットと、その植生マットの製造方法とに関するものである。
【背景技術】
【０００２】
例えば河川堤防の法面の護岸に際して、従来は、主として防災の見地から、コンクリートブロックを堤防の法面に張り付ける張りブロック工法や、コンクリートブロックを不織布に張り付けて、これを法面に張り付けるブロックマット工法が施工されてきたが、近年では、親水護岸の形成など景観的見地から、更にはコスト面から、芝生による護岸の形成が要望されつつある。
【発明の開示】
【発明が解決しようとする課題】
【０００３】
そこで、圃場で生育させた芝生マットを河川の水表の法面に施工する工法が採用されるようになったが、単に芝生マットを法面に張り付けていたがために、加えて、芝の根の法面への侵入深さが比較的浅いために、例えば河川の増水時には、流水によって芝生マットが簡単に剥がれて流失してしまい、護岸機能を早期に失って、流水による法面の浸食が起こり易い問題があった。
【０００４】
上記の問題は、特に芝生マットの施工直後に顕著であることから、法面に芝生マットを張り付けた段階で、この芝生マットをアンカーなどで法面に止着することも試みられたのであるが、芝生マット自体の保形強度が弱いことから、流水を受けた際にアンカーなどの止着部が崩れて、芝生マットがアンカーから抜け外れ、やがては法面から剥がれてしまうことに変わりはなかったのである。
【０００５】
一方、本発明者は、図９に示すように、法面Ｎにネット材２１を設置して、この上に芝生マット２２を張設し、この芝生マット２２をアンカー２３などによって法面Ｎに固定する植生護岸の工法を試みたのである。
【０００６】
この工法によれば、芝生マット２２の生育を待つことで、やがては芝生マット２２の強い表層根がネット材２１に強固に根絡みすることから、芝の根の法面Ｎへの侵入深さが浅くとも、流水に対する抵抗性の高い植生護岸、即ち、法面Ｎからの剥がれに強い植生護岸が達成されるのであるが、施工直後の問題をクリアできるには至らなかったのである。
【０００７】
本発明は、かゝる実情に鑑みて成されたものであって、その目的は、芝生マットを崩れ難いものにして、例えば河川の法面などに強固に張り付け得るようにした植生マットと、その植生マットの製造方法とを提供する点にある。
【課題を解決するための手段】
【０００８】
上記の目的を達成するに至った本発明による植生マットは、可撓性を有するネット材に芝生マットを一体化させて成る点に特徴がある（請求項１）。
【０００９】
この植生マットは、例えば次のようにして製造される。即ち、可撓性を有するネット材を圃場に敷設し、このネット材の上に、別途圃場で生育させた芝生マットを敷き詰め、この芝生マットの根がネット材に絡まった段階で、芝生マット付きのネット材を圃場から剥がし取る（請求項３）。
【００１０】
この製造方法によれば、芝生マットの強い表層根がネット材に強固に根絡みした保形性の高い植生マットが得られるのであって、この植生マットを法面などに敷き詰めて、この植生マットあるいはネット材をアンカー等によって止着すれば、芝生マットがネット材に強固に根絡みしていることから、実質的に芝生マットを、ネット材を介して法面などに強固に張り付けることができるのであり、かつ、芝生マットは時を経て法面などに強固に根張りすることになる。
【００１１】
従って、本発明による植生マットを例えば河川法面の植生護岸に用いた場合、施工直後に河川が増水したとしても、植生マットは流水によって簡単には剥がされることなく、施工直後から高い親水護岸の機能を発揮するのであって、景観上で優れることは勿論、流水による法面の浸食も効果的に防止されるのである。
【００１２】
上記植生マットの製造に際して、芝生マットの一側辺部での生育を行わせないようにして、或いは、例えば芝生マットの一側辺部を崩し取るなどの手段を講じて、ネット材の少なくとも一側辺のネット部分を、芝生マットの端部から張り出させておくことが好適である（請求項２）。
【００１３】
即ち、上記の構成によれば、植生マットを並べて法面などに施工する際に、張り出しネット部分に隣の植生マットを重ね合わせて、必要に応じてネット材どうしをスティプルなどの連結手段によって連結した上で、この重ね合わせ部分をアンカーなどによって法面などに止着することで、植生マットの辺部の捲くれ上がりが効果的に防止される。
【発明の効果】
【００１４】
以上説明したように、本発明によれば、強度アップに加えて、芝生マットを法面などに強固に張り付けることができる植生マットと、その植生マットの製造方法とが提供される。
【００１５】
従って、本発明による植生マットを例えば河川法面の植生護岸に用いた場合、施工直後に河川が増水したとしても、植生マットは流水によって簡単には剥がされることなく、施工直後から高い親水護岸の機能を発揮するのであって、景観上で優れることは勿論、流水による法面の浸食も効果的に防止される。
【発明を実施するための最良の形態】
【００１６】
以下、本発明の実施の形態を図面に基づいて説明する。図１は例えば河川堤防などの法面の植生護岸の状況を示し、図２は植生護岸に用いる植生マット１を示している。尚、図１において、図中のＲは水の流れ方向である。
【００１７】
上記の植生マット１は、例えば２０００ｍｍ×３０００ｍｍの矩形状のものであって、可撓性を有するネット材２に芝生マット３を一体化させて成り、具体的には、図３に示すように、可撓性を有するネット材２を圃場４に敷設し、このネット材２の上に芝のランナー５を撒き出して覆土６を施し、かつ、ランナー５が生育し芝の根がネット材２に絡まって、ランナー５が芝生マット３に育成した段階で、ネット材２の下側に伸びた根を切断しつつ、このネット材２を圃場４から剥がし取ることで、可撓性のネット材２に芝生マット３を一体化させた植生マット１を製造している。
【００１８】
そして、この実施の形態では、ネット材２の周辺部に角材などを配置して、植生マット１を製造した段階で、この角材７などを取り外すことで、植生マット１の幅方向両側に、例えば５０ｍｍ幅のネット部分２ａ，２ｂを張り出させ、ネット材２の長手方向一方には、例えば２５０ｍｍ幅のネット部分２ｃを張り出させ、更に、ネット材２の長手方向他方には、例えば５０ｍｍ幅のネット部分２ｄを張り出させている。
【００１９】
尚、上記の角材７などの配置を省略して、植生マット１の製造後に芝生マット３の周辺部を崩し取り、上記のように、植生マット１の周辺部にネット部分２ａ〜２ｄを張り出させるようにしてもよい。
【００２０】
また、上記の張り出しネット部分２ａ〜２ｄの各端部に、ネット連結時の目ずれ防止のために、２〜５ｃｍ程度の幅で網目を密にした部分を形成しておくことが有効である。
【００２１】
上記の可撓性ネット材２は、耐久性に富む繊維、例えばナイロンやポリエステル、アラミド、カーボン、ガラス、ポリアセタール等の繊維を用いて、目合い２〜１５ｍｍの格子状に成型したものであるが、上記の繊維による線条を用いて、上記と同様の目合いの網状体に編組したものにしてもよく、これら両者を重ね合わせてもよいのであって、幅１ｍ当たりの引っ張り強度を、１．０〜７．０トン程度としている。
【００２２】
次に、河川法面Ｎの植生護岸例について説明する。先ず、図１および図４に示すように、法尻の堪水域又はかなりの期間堪水する部分を適宜掘削して、この掘削部に、例えばカゴマット８の張り工法を実施（その他、捨て石やフトンカゴの敷設も好適である。）する。
【００２３】
この際、カゴマット８の下側に、上記のネット材２と同様のネット材９を適宜の幅にわたって敷き込んで、その上辺部９ａを、カゴマット８の上部の法面Ｎ側（護岸域側）に突出させておく。一方、想定される増水時の最高水位付近、好ましくは図示するように、最高水位Ｈよりもやゝ上部側の護岸域にも、上記のネット材２と同様のネット材１０を、その一部を突出させて埋設しておく。
【００２４】
更に、図５にも示すように、上下のネット材１０，９にわたって護岸域内に、増水時の流速を勘案して例えば１０ｍ〜３０ｍの間隔で、かつ、一部を下流側に向けて突出させるように、上記のネット材２と同様のネット材１１を埋設しておくのであり、かつ、必要に応じて、これらのネット材１０，１１をアンカー１２止めしておく。
【００２５】
そして、図１に示すように、例えばネット材２の長手方向一方のネット部分２ｃにフック部材１３を引っかけて、クレーン１４などを利用して、上記構成の植生マット１を、例えば護岸域の下流側から上流側に向けて且つ護岸域の下部側から上部側に向けて法面Ｎに張設するのである。
【００２６】
この時、護岸域下部側の植生マット１については、カゴマット４の下側に敷き込んで突出させたネット材９の上辺部９ａに、ネット材２の他方のネット部分２ｄを上方から重ね合わせて、この両者２ｄ，９ａにアンカー１５を打設するのであり、上下の植生マット１，１については、下部側の植生マット１の上部側ネット部分２ｃに、上部側の植生マット１の下部側ネット部分２ｄを上方から重ね合わせて、この両者２ｄ，２ｃにアンカー１５を打設するのである。
【００２７】
そして、護岸域上部側の植生マット１については、それの上部側ネット部分２ｃを、ネット材１０の突出辺部１０ａに上方から重ね合わせて、この両者２ｃ，１０ａにアンカー１５を打設するのであるが、この際、植生マット１の長さ寸法の関係で、植生マット１の上端が突出辺部１０ａを越えることがあり、この場合は、突出辺部１０ａへの重なり部分にアンカー１５を打設すればよく、或いは、ネット材２を切断して、植生マット１の長さ寸法を調整し、両者２ｃ，１０ａを重ね合わせるようにしてもよいのである。
【００２８】
一方、護岸域の下流側から上流側に向けて張設される植生マット１については、下流側の植生マット１の上流側ネット部分２ｂに、上流側の植生マット１の下流側ネット部分２ａを重ね合わせて、この両者２ａ，２ｂにアンカー１５を打設するのであり、かつ、ネット材１１に対しては、植生マット１の上流側ネット部分２ｂを重ね合わせて、この両者２ｂ，１１をコイル線材やスイテプルなどの連結手段１６によって連結して、この重ね合わせ部に、上流側の植生マット１の下流側ネット部分２ａを重ね合わせ、これら三者２ａ，２ｂ，１１にアンカー１５を打設するのである。
【００２９】
この際、植生マット１の幅寸法の関係で、植生マット１がネット材１１をオーバーすることがあるが、この場合は、連結手段１６による連結を止めて、ネット材１１への重なり部分にアンカー１５を打設すればよく、或いは、ネット材２を切断して、植生マット１の幅寸法を調整し、両者２ｂ，１１を連結手段１６によって連結した上で、三者２ａ，２ｂ，１１にアンカー１５を打設してもよいのである。
【００３０】
そして、上下ならびに左右方向で隣り合う植生マット１，１の夫々の重ね合わせ部と、護岸域上部側の植生マット１とネット材１０との重ね合わせ部とについては、これらのネット材２，１０を、予め護岸域に埋設した接続金具１７に係止させるのであり、かつ、必要に応じて植生マット１を覆うように、芝生マット３に覆土（図１及び図４，５を参照）１８を施すのである。
【００３１】
尚、上記の実施の形態では、図１及び図４に示すように、ネット材１０の埋設域よりも上方の護岸域に、ネット材２を一体化させていない芝生マット１９を張設しているが、この芝生マット１９に代えて、上記構成の植生マット１を張設してもよいことは言うまでもない。
【００３２】
上記の植生護岸工法によれば、その工法に用いる植生マット１が、芝生マット３の強い表層根がネット材２に強固に根絡みした保形性の高い植生マット１であって、この植生マット１の隣り合うネット材２を重ね合わせて、アンカー１５などで法面Ｎに固定することから、実質的に四側辺が互いに連結された芝生マット３を、ネット材２を介して法面Ｎに強固に張り付けることができるのであり、そして、芝生マット３は時を経て法面Ｎに強固に根張りすることになる。
【００３３】
従って、法面Ｎ全体の均一な緑化植生を期することができる上に、植生マット１の施工直後に河川が増水したとしても、植生マット１は、流水によって簡単に崩れたり剥がれたりしないのであって、施工直後から高い親水護岸の機能を発揮するのであり、景観上で優れることは勿論、流水による法面Ｎの浸食も効果的に防止されるのである。
【００３４】
特に、隣り合う植生マット１，１の上部側ならびに上流側のネット材２を、下部側ならびに下流側の植生マット１のネット材２に上方から重ね合わせているので、増水の際、ネット材２の端縁は流水に逆らわず、水がスムースに流れるのであって、植生マット１の剥がれが一層効果的に防止されるのである。
【００３５】
上記ネット材２のネット部分２ａ，２ｂ、２ｃ，２ｄの重ね合わせ部の連結構造として、図６に示すように、ネット部分２ａ〜２ｄを下面側に折り畳んで、これを接続金具１７に係止させるようにしてもよく、必要に応じてアンカー１５を打設してもよいのである。
【００３６】
尚、植生マット１として、これの四側辺にネット部分２ａ〜２ｄを張り出させているが、幅方向の両側にネット部分２ａ，２ｂを張り出させた植生マット１と、長手方向の両側にネット部分２ｃ，２ｄを張り出させた植生マット１とを、法面Ｎに交互に配置して、これの重ね合わせ部にアンカー１５を打設しても、芝生マット３の四側辺を互いに連結することができる。
【００３７】
或いは、四側辺にネット部分２ａ〜２ｄを張り出させた植生マット１と、ネット部分の張り出しがない植生マット１とを、法面Ｎに交互に配置して、これの重ね合わせ部にアンカー１５を打設することによっても、芝生マット３の四側辺を互いに連結することができのであるが、ネット部分２ａ〜２ｄを張り出させることは本発明の必須の用件ではなく、植生マット１そのものにアンカー１５を打設してもよいのである。
【００３８】
植生マット１の別の製造方法として、図７に示すように、可撓性を有するネット材２を圃場４に敷設し、このネット材２の上に、別途圃場で生育させた芝生マット３を敷き詰め、この芝生マット３の根がネット材２に絡まった段階で、芝生マット３付きのネット材２を圃場４から剥がし取ることも好適である。
【００３９】
この製造方法によれば、予め生育させた芝生マット３を用いることから、芝のランナー５を芝生マット３に生育させる方法に比較して、その生育期間の分、植生マット１の製造時間を短縮することができるのである。
【００４０】
この植生マット１の製造方法ならびに図３に示した植生マット１の製造方法において、圃場に敷設するネット材２の下側に、芝の根の通過を防止する例えばビニールシートなどを敷設しておけば、植生マット１の圃場からの取り外しが容易となり、更に、ネット材２とビニールシートなどとの間に、例えば５〜１０ｍｍ程度の土砂または軽量な人工土壌（例えばピートモスやバーミキュライト、パーライト等）を介在させることも好適であって、こうすると植生マット１の重量を軽減することができて、植生マット１の取り扱いが容易となり、加えて、施工効率も向上することができる。
【００４１】
植生マット１の更に別の製造方法として、図８に示すように、可撓性を有するネット材２を、適宜たとえば作業台上に展開させて、この上に芝生マット３を配置し、この両者２，３をステイプル等による結束や、その他、縫製などの連結手段２０によって一体化させることによっても、植生マット１を得ることができる。
【００４２】
この製造方法によれば、ネット材２には芝生マット３の根が絡まってはいないものの、この両者２，３が連結手段２０によって一体化されていることから、植生護岸に際して、ネット材２の重ね合わせ部にアンカーを打設することで、実質的に芝生マット３を、ネット材２を介して法面に強固に張り付けることができるのであり、やがては時を経て、芝生マット３の根がネット材２に絡みつつ、法面に根張りするのであって、この製造方法によれば、予め生育させた芝生マット３を用いることに加えて、芝生マット３のネット材２への根絡みを待つ必要がないことから、その時間分、植生マット１の製造時間を更に短縮することができるのである。
【図面の簡単な説明】
【００４３】
【図１】河川堤防の法面に対する植生護岸の状況説明図である。
【図２】一部を取り出して拡大し断面図示した植生マット斜視図である。
【図３】植生マットの製造例を示す分解斜視図である。
【図４】一部を取り出して拡大図示した植生護岸の縦断側面図である。
【図５】一部を取り出して拡大図示した植生護岸の横断平面図である。
【図６】別の実施の形態によるネット部分の重ね合わせ部構造の断面図である。
【図７】別の実施の形態による植生マットの製造例を示す分解斜視図である。
【図８】更に別の実施の形態による植生マットの製造例を示す分解斜視図である。
【図９】本発明を比較する植生護岸の状況説明図である。
【符号の説明】
【００４４】
２          可撓性のネット材
２ａ〜２ｄ  ネット部分
３          芝生マット
４          圃場
５          ランナー
６          覆土
２０        連結手段。
【図１】
2008043350.tif 000003
【図２】
2008043350.tif 000004
【図３】
2008043350.tif 000005
【図４】
2008043350.tif 000006
【図５】
2008043350.tif 000007
【図６】
2008043350.tif 000008
【図７】
2008043350.tif 000009
【図８】
2008043350.tif 000010
【図９】
2008043350.tif 000011